(57)【要約】      （修正有）【課題】棚受を支柱に取り付ける際、取り外す際の双方で作業性が良好な抜け止め具を備えた棚受を提供する。【解決手段】スリット42と係合フック12との隙間に差し込まれる差し込み突部24を備えた抜け止め具を有し、棚受ブラケット11は、突き出した抜け止め突起19ａ、19ｂを有する切り込み凹部18が設けられ、抜け止め具は、第1ガイド部25ａと第2ガイド部とからなり、第2ガイド部に切り込み凹部18の高さより僅かに小さく抜け止め突起19ａ、19ｂと当接するロック部材32が設けられ、抜け止め具を棚受ブラケット11の厚さ方向に移動可能に装着し、ロック部材32と抜け止め突起19ａ、19ｂが当接した状態は差し込み突部24が後端辺13の内部に位置し、抜け止め具が棚受ブラケット11の厚さ方向に移動し、ロック部材32が切り欠き凹部18から離間するとばね29により抜け止め具が係合フック12方向へ移動する。【選択図】図７
2018051203.tif 000002
【特許請求の範囲】
【請求項１】
棚受ブラケットと、支柱のスリットに挿入係合された棚受ブラケットの係合フックとの間に生じる隙間に差し込まれる差し込み突部を備えた抜け止め具と、からなる棚受において、
前記棚受ブラケットは、支柱側となる後端辺から支柱側に突き出した係合フックが設けられ、前記係合フックの上辺に一致する高さに前記棚受ブラケットの前端方向に凹入する取り付け用の切り込み凹部が設けられ、前記切り欠き凹部の開放端部分の下辺と上辺にそれぞれ開放端を狭めるように相互に突き出した抜け止め突起が設けられ、
前記抜け止め具は、差し込み突部の一端部に設けられた第１ガイド部と、この第１ガイド部に取り付けられる第２ガイド部とからなり、前記第１ガイド部に、前記第２ガイド部に設けられた係合突起が嵌め込まれる係合凹所とバネ受け突起が設けられ、前記第２ガイド部に前記切り込み凹部の高さより僅かに小さく前記抜け止め突起と当接するロック部材が設けられ、
前記切り欠き凹部を挟んで棚板ブラケットの一方の側に第１ガイド部、他方側に第２ガイド部を配置し、前記切り欠き凹部の底部とバネ受け突起との間に抜け止め具を係合フック方向へ移動させる弾性体を配置して、前記係合凹所に係合突部を嵌め込み、前記切り欠き凹部に抜け止め具を前記棚受ブラケットの厚さ方向に移動可能に装着し、
前記ロック部材と抜け止め突起が当接した状態は差し込み突部が前記後端辺より僅かに突出するか内部に位置し、前記抜け止め具が棚受ブラケットの厚さ方向に移動し、前記ロック部材が切り欠き凹部から離間すると弾性体により前記抜け止め具が係合フック方向へ移動することを特徴とする抜け止め具を備えた棚受。
【請求項２】
前記ロック部材は、前記第２ガイド部材の係合突起より支柱側に設けられていることを特徴とする請求項１に記載の抜け止め具を備えた棚受。
【請求項３】
前記係合凹所の上下寸法は、切り欠き凹部の高さより僅かに小さく形成され、前記係合凹所の上下面に沿って前記第１ガイド部が切り欠き凹部内を前後に移動することを特徴とする請求項１または請求項２に記載の抜け止め具を備えた棚受。
【請求項４】
前記係合突部の後端部側には、抜け止め具を棚受ブラケットの厚さ方向への移動を案内するための案内突起が設けられていることを特徴とする請求項１から請求項３のいずれか１項に記載の抜け止め具を備えた棚受。
【請求項５】
複数の係合孔を有する支柱と、請求項１から請求項４いずれか１項に記載の棚受と、を備える陳列棚であって、
前記棚受部材には支柱側となる後端辺から支柱側に突き出した複数の係合フックが設けられ、前記係合フックの内、上辺に棚板が載置されない係合フックの上辺に一致する高さにおいて棚受ブラケットの前端方向に凹入する取付け用の切り欠き部凹部が設けられ、前記抜け止め具の差し込み突部を前記切り欠き凹部にその前端部側が棚受部材後方に突き出すように収納し、前記支柱の係合孔に前記係合フックを挿入係合し、前記棚受の係合フックと前記係合孔の間に生じる隙間に前記差し込み突部が挿入されることを特徴とする棚。
」
【発明の詳細な説明】
【技術分野】
【０００１】
この発明は、店舗等に設置される棚の抜け止め具を備えた棚受及びこれを用いた棚に関するものである。
【背景技術】
【０００２】
店舗等に設置される陳列棚の棚受構造は、通常、一対の支柱の前面に上下方向に一定間隔をおいてスリットが形成され、棚受の後端部に設けられた逆Ｌ形の係合フックを前記スリットに挿入し、これをスリットの下端に落とし込んで係合する構造が採られていた。
【０００３】
しかし、前記の棚受構造によると、係合フックとスリット上端との間に必ず隙間が生じるため、棚受に何らかの外力が作用して持ち上げられると、その隙間を通って係合フックが抜け出し、棚受が支柱から抜け落ちるおそれがあった。
【０００４】
本出願人は、棚受の抜け落ちを防止した棚受抜け止め具を提案している（特許文献１参照）。特許文献１に記載の棚受抜け止め具は、支柱のスリットと、そのスリットに挿入係合された棚受の係合フックとの間に生じる隙間に差し込む差し込み突部を備えた棚受抜け止め具において、前記差し込み突部は、差し込み側となる前端部の反対側の後端部に前記棚受の板厚の間隔をおき、かつ前記後端部を越える所要長さの一対のガイド片を対向状に設け、前記差し込み突部の前記後端部と前記一対のガイド片に囲まれた部分に弾性体が組み込まれた構成としたものである。そして、支柱のスリットに挿入した係合フックを下方に落とし込むと、弾性体の付勢力によって、差し込み突部が係合孔の隙間に差し込まれる。これにより、前記隙間に起因して棚受が外れる問題を解消している。
【先行技術文献】
【特許文献】
【０００５】
【特許文献１】特開２０１０−１８７７４５号公報
【発明の概要】
【発明が解決しようとする課題】
【０００６】
上記した特許文献１に記載の棚受抜け止め具は、棚受を支柱に取り付ける際には、支柱のスリットに挿入した係合フックを下方に落とし込むことにより、係合フックの下方への落とし込みと同時にその弾性体の付勢力によって自動的に差し込み突部が隙間に差し込まれる。しかしながら、棚受を外す場合には、棚受抜け止め具を弾性体に抗して差し込み突部を隙間から抜くように指等で動かした後、その状態を保って係合フックを支柱のスリットから外している。このように取り外しの際には、指等で棚受抜け止め具の差し込み突部を隙間から抜く方向に保持する必要がある。
【０００７】
この発明は、棚受を支柱に取り付ける際、取り外す際の双方で作業性が良好な抜け止め具を備えた棚受を提供することにある。
【課題を解決するための手段】
【０００８】
この発明の抜け止め具を備えた棚受は、棚受ブラケットと、支柱のスリットに挿入係合された棚受ブラケットの係合フックとの間に生じる隙間に差し込まれる差し込み突部を備えた抜け止め具と、からなる棚受において、前記棚受ブラケットは、支柱側となる後端辺から支柱側に突き出した係合フックが設けられ、前記係合フックの上辺に一致する高さに前記棚受ブラケットの前端方向に凹入する取り付け用の切り込み凹部が設けられ、前記切り欠き凹部の開放端部分の下辺と上辺にそれぞれ開放端を狭めるように相互に突き出した抜け止め突起が設けられ、前記抜け止め具は、差し込み突部の一端部に設けられた第１ガイド部と、この第１ガイド部に取り付けられる第２ガイド部とからなり、前記第１ガイド部に、前記第２ガイド部に設けられた係合突起が嵌め込まれる係合凹所とバネ受け突起が設けられ、前記第２ガイド部に前記切り込み凹部の高さより僅かに小さく前記抜け止め突起と当接するロック部材が設けられ、前記切り欠き凹部を挟んで棚板ブラケットの一方の側に第１ガイド部、他方側に第２ガイド部を配置し、前記切り欠き凹部の底部とバネ受け突起との間に抜け止め具を係合フック方向へ移動させる弾性体を配置して、前記係合凹所に係合突部を嵌め込み、前記切り欠き凹部に抜け止め具を前記棚受ブラケットの厚さ方向に移動可能に装着し、前記ロック部材と抜け止め突起が当接した状態は差し込み突部が前記後端辺より僅かに突出するか内部に位置し、前記抜け止め具が棚受ブラケットの厚さ方向に移動し、前記ロック部材が切り欠き凹部から離間すると弾性体により前記抜け止め具が係合フック方向へ移動することを特徴とする。
【０００９】
また、前記ロック部材は、前記第２ガイド部材の係合突起より支柱側に設ければよい。
【００１０】
また、前記係合凹所の上下寸法は、切り欠き凹部の高さより僅かに小さく形成され、前記係合凹所の上下面に沿って前記第１ガイド部が切り欠き凹部内を前後に移動するように構成すればよい。
【００１１】
また、前記係合突部の後端部側には、抜け止め具を棚受ブラケットの厚さ方向への移動を案内するための案内突起を設ければよい。
【００１２】
また、この発明の棚は、複数の係合孔を有する支柱と、上記のいずれかに記載の棚受と、を備える陳列棚であって、前記棚受部材には支柱側となる後端辺から支柱側に突き出した複数の係合フックが設けられ、前記係合フックの内、上辺に棚板が載置されない係合フックの上辺に一致する高さにおいて棚受ブラケットの前端方向に凹入する取付け用の切り欠き部凹部が設けられ、前記抜け止め具の差し込み突部を前記切り欠き凹部にその前端部側が棚受部材後方に突き出すように収納し、前記支柱の係合孔に前記係合フックを挿入係合し、前記棚受の係合フックと前記係合孔の間に生じる隙間に前記差し込み突部が挿入されることを特徴とする。
【発明の効果】
【００１３】
この発明の棚受は、支柱に取り付ける際には、支柱に設けられたスリットに係合フックを差し込み、係合フックを落とし込むだけで、係合フックとスリットの間に差し込み突部が挿入され、棚受を支柱から外す時は、ロック部材により抜け止め具の差し込み突部の先端が後端辺まで入り込んだ状態に保持され、棚受を取り外す時に、抜け止め具に指をかけなくても良くなり、棚受の取り外しが容易に行える。
【図面の簡単な説明】
【００１４】
【図１】この発明の実施形態の棚受ブラケットを示す側面図である。
【図２】この発明の実施形態の棚受ブラケットを示す上面図である。
【図３】この発明の実施形態の棚受ブラケットの一部を拡大した側面図である。
【図４】この発明の実施形態の抜け止め具を示す分解斜視図である。
【図５】この発明の実施形態の抜け止め具を棚板ブラケットに取り付ける状態を示した上面図である。
【図６】この発明の実施形態の棚受を示す上面図であり、支柱に取り付ける状態を示している。
【図７】この発明の実施形態の棚受を支柱に取り付ける状態を示す説明図であり、第２ガイド部を省略している。
【図８】この発明の実施形態の棚受を支柱に取り付ける状態を示す説明図であり、第１ガイド部を省略している。
【図９】この発明の実施形態の棚受を示す上面図であり、支柱に取り付けた状態を示している。
【図１０】この発明の実施形態の棚受を支柱に取り付けた状態を示す説明図であり、第２ガイド部を省略している。
【図１１】この発明の実施形態の棚受を支柱に取り付けた状態を示す説明図であり、第１ガイド部を省略している。
【図１２】この発明の実施形態の棚受を示す上面図であり、支柱から取り外す状態を示している。
【図１３】この発明の実施形態の棚受を支柱に取り外す状態を示す説明図であり、第２ガイド部を省略している。
【図１４】この発明の実施形態の棚受を支柱に取り外す状態を示す説明図であり、第１ガイド部を省略している。
【図１５】この実施形態の抜け止め具に用いられる第２ガイド部の他の例を示し、（ａ）は正面図、（ｂ）は上面図を示している。
【図１６】この発明の実施形態の棚受を用いた棚を示す側面図である。
【発明を実施するための形態】
【００１５】
この発明の実施の形態について図面を参照しながら詳細に説明する。なお、図中同一または相当部分には同一符号を付し、説明の重複を避けるためにその説明は繰返さない。
【００１６】
図１から図３は、この発明の実施形態の棚受ブラケット１１を示している。この棚受ブラケット１１は、後述するように、抜け止め具２０と組み合わされて棚受１０を構成する（図６、図７参照）。
【００１７】
棚受ブラケット１１は金属板製のものであり、後端辺１３に支柱４１（図７参照）のスリット４２に対応した係合フック１２が上下に一定間隔をおいて３か所に設けられた、いわゆる３爪のタイプである。なお、係合フック１２が上下に一定間隔をおいて２か所に設けられた２爪のタイプ、係合フック１２が１つの１爪のタイプなど、係合フック１２を有する棚板ブラケット１１にこの発明は適用することができる。
【００１８】
前記の係合フック１２は後端辺１３から逆Ｌ形に後方へ突き出した形状をなしている。逆Ｌ形の形状であることにより、後端辺１３と係合フック１２の間に下方に開放された係合凹部１４が形成される。ここで、後端辺１３は、支柱４１と当接する辺全体をいう。
【００１９】
図３に拡大して示したように、係合凹部１４は、棚受ブラケット１１の前端側の内側前辺１５と、これに対向した内側後辺１６を有する。内側前辺１５は、後端辺１３より若干の寸法ａだけ内方（棚受ブラケット１１の前端方向）に凹入している。内側後辺１６と後端辺１３の間の寸法ｂは、支柱４１のスリット４２部分の板厚に合致する大きさに設定されているので、係合凹部１４の幅（ａ＋ｂ）は、支柱４１の板厚よりａだけ大きく形成される。
【００２０】
上下３か所の係合フック１２、１２、１２のうち、この実施形態では中間の係合フック１２の上辺１７と一致する高さにおいて、後端辺１３に、後端辺１３から棚受ブラケット１１の前端方向に向かって棚受ブラケット１１の板厚方向に打ち抜かれた切り欠き凹部１８が設けられる。
【００２１】
切り欠き凹部１８の下辺１８ａと係合フック１２の上辺１７の高さは一致する。切り欠き凹部１８の開放端部分の下辺１８ａと上辺１８ｂに、それぞれ開放端を狭めるように相互に突き出した抜け止め突起１９ａ、１９ｂを設けている。これらの抜け止め突起１９ａ、１９ｂの突き出し高さは、抜け止め具２０の着脱に支障を来さない程度で、その抜け出しを防止するのに必要な高さに設定される。切り欠き凹部１８と抜け止め突起１９ａ、１９ｂは、係合フック１２などと同時に打ち抜き、またはレーザ加工により形成される。
【００２２】
この棚受ブラケット部材１１の一番上の係合フック１２の上辺に連接する支持辺１１ａには、棚板が載置される。棚受ブラケット１１にはその上辺に載置した棚にビス等により固定するための支持片５０が設けられている。この支持片５０には丸穴５０ａ、小判状穴５０ｂが設けられ、棚板ブラケット１１上に載置された木製の棚板をビスにより固定することができる。
【００２３】
図３においては切り欠き凹部１８及び抜け止め突起１９ａ、１９ｂを中間の係合フック１２の上辺１７と同じ高さに形成したものを示しているが、上部の係合フック１２の上辺１７と同じ高さに形成したもの、または、下部の係合フック１２の上辺１７と同じ高さなに形成したものなど、切り欠き凹部１８を設ける位置は用途によって種々選択することができる。
【００２４】
なお、上記した支持片５０を設けずに、棚板ブラケット１１の支持辺１１ａ上に棚板を載置するものもある。
【００２５】
図６〜図１４に示すように、この切り欠き凹部１８にこの発明の抜け止め具２０が装着され、棚受１０が構成される。
【００２６】
次に、抜け止め具２０について、図４ないし図６に基づいて説明する。
【００２７】
抜け止め具２０は、長方体の差し込み突部２４とその一端部に一体に設けられた第１ガイド部２５ａと、第１ガイド部２５ａに取り付けられる第２ガイド部２５ｂとからなる。第１ガイド部２５ａには、第２ガイド部２５ｂに設けられた係合突部３１が嵌め込まれる係合凹所３０が設けられている。係合凹所３０の上下寸法は、切り欠き凹部１８の高さ（下辺１８ａと上辺１８ｂ間の長さ）より僅かに小さく形成され、係合凹所３０の上下面に沿って第１ガイド部２５ａが切り欠き凹部１８内を前後に移動する。
【００２８】
差し込み突部２４の先端部は下方から上方にかけてテーパ状に形成されており、後述するように、棚受１０の取り付け時、取り外しには、先端部の上端は後端辺１３より内側に位置し、先端部の下端部は後端辺１３より僅かに突出するように構成されている（図７、図１０参照）。
【００２９】
図５に示すように、切り欠き凹部１８を挟んで棚板ブラケット１１の一方側に第１ガイド部２５ａ、他方側に第２ガイド部２５ｂを配置し、係合凹所３０に係合突部３１を嵌め込むことにより、棚板ブラケット１１の切り欠き凹部１８に抜け止め具２０が装着され、棚受１０が構成される。
【００３０】
差し込み突部２４は係合凹所３０に連接して設けられ、差し込み突部２４の係合凹所３０側を後端部、その反対側の差し込み側となる端部を前端部と称する。差し込み突部２４は、支柱４１のスリット４２を貫通し得る長さをもつように形成される（図１０、図１１参照）。係合凹所３０に連接して弾性体としてのコイルバネ２９が装着されるバネ受け突起２８が形成されている。
【００３１】
第２ガイド部２５ｂの係合突部３１の前端部側には矩形状のロック部材３２が設けられている。このロック部材３２の高さは、切り欠き凹部１８の高さより僅かに小さく形成され、抜け止め突起１９ａ、１９ｂに当接する大きさに形成されている。
【００３２】
切り欠き凹部１８に抜け止め具２０を取り付けると、切り欠き凹部１８の底部にコイルバネ２９が当接し、抜け止め具２０が係合フック１２の方向に突出するように付勢される。そして、ロック部材３２が抜け止め突起１９ａ、１９ｂに当接した状態で抜け止め具２０が停止する。切り欠き凹部１８内にロック部材３２が位置し、ロック部材３２と抜け止め突起１９ａ、１９ｂが当接している状態を抜け止めオフ状態と称する。
【００３３】
係合突部３１の後端部側には、抜け止め具２０を棚受ブラケット１１の厚さ方向に移動させ、抜け止めオフ状態から解除する動作を案内するための案内突起４３が設けられている。案内突起３３の後端部側はテーパ状に形成され、差し込み突部２４の先端が支柱４１に当たり、その状態から棚受ブラケット１１が下方に押し込まれると、ロック部材３２が切り欠き凹部１８から離れる位置に、抜け止め具２０がブラケット１１の厚さ方向に動くように構成されている。ロック部材３２が切り欠き凹部１８から離れた状態を抜け止めオン状態と称する。
【００３４】
ロック部材３２の幅より、案内突起３３の幅は少し小さくなっている。第１ガイド部２５ａと第２ガイド部２５ｂを係合させると、ロック部材３２の幅の寸法だけ、前述の棚受ブラケット１１の板厚ｃより少し大きくなるように形成されている（図９参照）。
【００３５】
第１、第２ガイド部２５ａ、２５ｂには摘み部２６が設けられ、この摘み部２６は、棚受ブラケット１１の幅方向において、前方から中央部にかけて厚みが徐々に増し、中央部から後方にかけて徐々に厚みが減る山状に形成されている。そして、第１、第２ガイド部２５ａ、２５ｂの摘み部２６の長さは切り欠き凹部１８の長さを若干超える大きさであり、また摘み部２６の上下方向の高さは該切り欠き凹部１８の高さ（上下方向の開口幅）より大きく形成される。したがって、第１、第２ガイド部２５ａ、２５ｂの摘み部２６は切り欠き凹部１８の全体をその両側面からカバーすることができる。
【００３６】
また、前記差し込み突部２４の高さは、スリット４２に係合フック１２を挿入し落とし込んだ際に、スリット４２の上部に生じる隙間の上下方向の大きさより僅かに小さい大きさに形成され、スリット４２に差し込み突部２４が挿入された際に、棚受１０の抜け落ちを防止する。
【００３７】
図５及び図６に示すように、棚受ブラケット１１の切り欠き凹部１８に第１ガイド部２５ａの係合凹所３０を挿入し、係合凹所３０に第２ガイド部２５ｂの係合突部３１を取り付けると、底部にコイルバネ２９が当接し、コイルバネ２９により、抜け止め具２０が係合フック１２の方向へ付勢され、抜け止め突起１９ａ、１９ｂと当接するロック部材３２で移動を規制された棚受１０が得られる。
【００３８】
前記の棚受１０において、棚受ブラケット１１の両側面からその厚さ方向に突き出すのは、第１、第２ガイド部２５ａ、２５ｂの厚さ分だけであり、包装や輸送においてその突き出し量が支障になることが避けられる。
【００３９】
抜け止め具２０を棚受ブラケット１１に組み合わせる作業は工場で行ってもよいが、簡単な作業であるので棚の組み立て現場において行ってもよい。
【００４０】
図６〜図８に示すように、抜け止めオフ状態では、切り欠き凹部１８内にロック部材３２が挿入されており、抜け止め突起１９ａ、１９ｂにロック部材３２が当接し、抜け止め具２０が係合フック１２側へ移動が禁止される。この時、抜け止め具２０の差し込み突部２４の先端部の上端は後端辺１３より内側に位置し、先端部の下端部は後端辺１３より僅かに突出している。
【００４１】
この抜け止めオフ状態から抜け止めオン状態へ移行するには、ロック部材３２を切り欠き凹部１８から外れるように、抜け止め具２０を棚受ブラケット１１の厚さ方向に移動させる。図６の図中下方向に抜け止め具２０が移動すると、抜け止めオン状態となる。
【００４２】
抜け止めオフ状態で支柱４１のスリット４２に係合フック１２を差し込み、係合フック１２を下に落とし込むと、差し込み突部２４の先端が支柱４１の前面に触れ、少し抜け止め具２０が後に押し込まれる。この押し込み動作により、案内突起３３のテーパに沿って抜け止め具２０が棚受ブラケット１１の厚み方向に移動し、ロック部材３２が切り欠き凹部１８から外れる。
【００４３】
ロック部材３２が切り欠き凹部１８から外れると、図９〜図１１に示すように、抜け止めオン状態となり、コイルバネ２９の付勢力により、抜け止め具２０が係合フック１２側へ移動し、スリット４２の隙間に差し込み突部２４が入り込むように移動する。そして、係合凹所３０が切り欠き凹部１８の抜け止め突起１９ａ、１９ｂに当接し、抜け止め具２０の移動が止まる。ロック部材３２は切り欠き凹部１８の係合フック１２側の棚受ブラケット１１の側面と当接した状態となる。
【００４４】
棚受１０を取り外す時には、図１２〜図１４に示すように、抜け止め具２０を切り欠き凹部１８の底部方向、すなわち、後端部側に引きながら、ロック部材３２を切り欠き凹部１８側へ入り込むように、抜け止め具２０を押し込む。図１２に示す図中上方向に抜け止め具２０を押し込む。抜け止め具２０が棚受ブラケット１１の厚さ方向に移動し、切り欠き凹部１８にロック部材３２が入り込むと、切り欠き凹部１８の抜け止め突起１９ａ、１９ｂとロック部材３２が当接し、コイルバネ２９の付勢力に抗して、抜け止め具２０の差し込み突部２４の先端が後端辺１３まで入り込んだ状態となる。この状態になると、抜け止め具２０から指を外しても抜け止め具２０の差し込み突部２４の先端が後端辺１３まで入り込んだ状態が保持される。棚受１０を取り外す時に、抜け止め具２０に指をかけなくても良くなり、棚受１０の取り外しが容易に行える。
【００４５】
次に、第２ガイド部２５ｂの他の例を図１５に従い説明する。前述した実施形態では、図８に示すように、係合突部３１の前端部側に設けたロック部材３２は矩形形状に形成されている。これに対して、図１５に示す例では、係合突部３１の前端部側に設けたロック部材３２ａは、（ａ）に示すように、前端側に向かって山状に突出した多角形状に形成されている。即ち、この図１５に示す第２ガイド部２５ｂのロック部材３２ａは、抜け止め具２０の前後方向に長く形成されている。ロック部材３２ａを抜け止め具２０の前後方向に長く形成することで、前述した抜け止めオン状態で、ロック部材３２ａが切り欠き凹部１８の係合フック１２側の棚受ブラケット１１の側面と当接した状態となった時に接触面積が大きくなり、抜け止めオン状態の安定性が増す。
【００４６】
次に、前記の棚受１０を支柱４１に組み付ける手順を説明する。まず、前記の棚受１０を支柱４１のスリット４２に係合させるべく、図７に示したように、各係合フック１２を対応したスリット４２に挿入すると、差し込み突部２４の先端がスリット４２上部の支柱４１の前面に当たる。
【００４７】
前記の状態から棚受１０を支柱４１の方向に押し込むと、各係合フック１２の内側後辺１６から先端の部分がスリット４２を貫通し、後端辺１３が支柱４１の前面に当接することにより棚受１０が規制される。
【００４８】
後端辺１３が支柱４１の前面に当接した図７の状態から、棚受１０に下向きの力を加えると、図１０に示したように、係合フック１２がスリット４２に落とし込まれ、係合凹部１４がスリット４２の下端の板厚部分の前後面に係合する。
【００４９】
係合フック１２が落とし込まれスリット４２に係合すると、これと同時に、抜け止め具２０の差し込み突部２４が支柱４１の前面から外れる。差し込み突部２４の先端が支柱４１に触れて少し押し込まれることにより、案内突起３３のテーパに沿って抜け止め具２０が棚受ブラケット１１の厚み方向に移動し、ロック部材３２が切り欠き凹部１８から外れる。切り込み凹部１８からロック部材３２が外れると、差し込み突部２４が自由になるので、コイルバネ２９の付勢力によって抜け止め具２０全体が棚受ブラケット１１に対して相対的に移動し、差し込み突部２４がスリット４２の上部に存在する隙間に貫通される。抜け止め具２０は、係合凹所３０の先端が抜け止め突起１９ａ、１９ｂに対し当接して規制され安定状態となる。
【００５０】
前記差し込み突部２４の高さを隙間の大きさより僅かに小さい大きさに設定しておくことにより、棚受１０に外力が作用しても係合フック１２がスリット４２の内部で上方へ移動することが規制される。これにより、棚受１０のガタツキや外れが防止される。
【００５１】
また、差し込み突部２４の幅をスリット４２の幅に合致する大きさに設定しておくことにより、棚受ブラケット１１の板厚方向へのガタツキも防止することができる。
【００５２】
上記のように、支柱４１に棚受１０を取り付けた後、図１５に示しように、棚受ブラケット１１の上方に棚６０を載置し、棚が構成される。この棚受１０においては、抜け止め具２０は、下側の係合フック１２の上方に位置する箇所に取り付けられており、棚受１０の上面側には、抜け止め具２０は位置しない。この結果、棚受１０の支柱４１側の近傍まで棚板６０を載置することができる。
【００５３】
なお、棚受１０を外す際は、前記と逆の手順により、図１２〜図１４に示すように、抜け止め具２０を後端部側に引きながら、ロック部材３２を切り欠き凹部１８側へ入り込むように、抜け止め具２０を押し込む。そして、抜け止め具２０が棚受ブラケット１１の厚さ方向に移動し、切り欠き凹部１８にロック部材３２が入り込むと、切り欠き凹部１８の抜け止め突起１９ａ、１９ｂとロック部材３２が当接し、コイルバネ２９の付勢力に抗して、抜け止め具２０の差し込み突部２４の先端が後端辺１３まで入り込んだ状態となる。この状態になると、抜け止め具２０から指を外しても抜け止め具２０の差し込み突部２４の先端が後端辺１３まで入り込んだ状態が保持される。棚受１０を取り外す時に、抜け止め具２０に指をかけなくても良くなり、棚受１０の取り外しが容易に行える。差し込み突部２４の先端を押し込んで隙間から反対方向に抜き出し、棚受１０を上方に移動させてから係合フック１２をスリット４２から外すことができる。
【００５４】
今回開示された実施の形態はすべての点で例示であって制限的なものではないと考えられるべきである。この発明の範囲は、上記した実施の形態の説明ではなくて特許請求の範囲によって示され、特許請求の範囲と均等の意味および範囲内でのすべての変更が含まれることが意図される。
【符号の説明】
【００５５】
１０    ：棚受
１１    ：棚板ブラケット
１２    ：係合フック
１３    ：後端辺
１４    ：係合凹部
１７    ：上辺
１８    ：切り欠き凹部
１８ａ  ：下辺
１８ｂ  ：上辺
１９ａ  ：抜け止め突起
１９ｂ  ：抜け止め突起
２０    ：抜け止め具
２４    ：差し込み込み突部
２５ａ  ：第１ガイド部
２５ｂ  ：第２ガイド部
２６    ：摘み部
２８    ：バネ受け突起
２９    ：コイルバネ
３０    ：係合凹所
３１    ：係合突部
３２    ：ロック部材
３２ａ  ：ロック部材
３３    ：案内突起
４０    ：係合突部
４１    ：支柱
４２    ：スリット
５０    ：支持片
５０ａ  ：丸穴
５０ｂ  ：小判状穴
６０    ：棚
【図１】
2018051203.tif 000003
【図２】
2018051203.tif 000004
【図３】
2018051203.tif 000005
【図４】
2018051203.tif 000006
【図５】
2018051203.tif 000007
【図６】
2018051203.tif 000008
【図７】
2018051203.tif 000009
【図８】
2018051203.tif 000010
【図９】
2018051203.tif 000011
【図１０】
2018051203.tif 000012
【図１１】
2018051203.tif 000013
【図１２】
2018051203.tif 000014
【図１３】
2018051203.tif 000015
【図１４】
2018051203.tif 000016
【図１５】
2018051203.tif 000017
【図１６】
2018051203.tif 000018